(57)【特許請求の範囲】
【請求項１】
支柱に横ビームを取り付けるための防護柵用横ビーム取付金具において、
板材をＵ字状に折り曲げることにより、前記支柱に巻き付けられるバンド部と前記横ビームが取り付けられる横ビーム取付部とが形成され、前記バンド部の内面には、前記支柱に形成された開口に係合するフックを先端に有する突起が左右に一対、それぞれ上下外向きに形成され、前記横ビーム取付部には、横ビーム取付ボルトが挿通されるボルト孔が形成され、前記バンド部の内径は、前記支柱の外径より小さく、前記突起は、前記横ビーム取付部の中心線上に一箇所、形成されていることを特徴とする防護柵用横ビーム取付金具。
【請求項２】
前記突起は、前記バンド部を打ち抜き、前記バンド部の一部を前記バンド部の内側に折り曲げることにより形成されていることを特徴とする、請求項１に記載の防護柵用横ビーム取付金具。
【請求項３】
前記突起は、前記バンド部の内面に溶接により取り付けられていることを特徴とする、請求項１に記載の防護柵用横ビーム取付金具。
【請求項４】
前記ボルト孔は、前記突起を通る中心線より外側に形成されていることを特徴とする、請求項１から３の何れか１つに記載の防護柵用横ビーム取付金具。
【発明の詳細な説明】
【技術分野】
【０００１】
この発明は、防護柵用横ビーム取付金具、特に、支柱への横ビームの取り付けが容易に行え、しかも、外観に優れた防護柵用横ビーム取付金具に関するものである。
【背景技術】
【０００２】
防護柵は、例えば、支柱と支柱間に取り付けられた横ビームとからなり、歩行者の路外転落や車道への立ち入りを防止する目的で設置される。
【０００３】
このような防護柵において、支柱に横ビームを取り付けるための防護柵用横ビーム取付金具の一例が特許文献１に開示されている。以下、この防護柵用横ビーム取付金具を従来取付金具Ａといい、図面を参照しながら説明する。
【０００４】
図６は、従来取付金具Ａによる支柱と横ビームとの取り付け部分を示す分解斜視図である。
【０００５】
図６に示すように、従来取付金具Ａは、両側下部に受け部２４が形成された受け金具２３と、両側上部に被せ部２６が形成された被せ金具２５とからなっている。
【０００６】
従来取付金具Ａにより支柱２１に横ビーム２２を取り付けるには、図６に示すように、まず、受け金具取付ボルト２７を支柱２１の背面側に形成されたボルト孔（図示せず）と、支柱２１の正面側に形成されたボルト孔２８と、支柱２１の正面側に当接した受け金具２３に形成されたボルト孔２９とに挿通し、ナット３０により受け金具２３を支柱２１に固定する。
【０００７】
次に、受け金具２３の受け部２４に横ビーム２２の端部を載置して、横ビーム２２を受け金具２３に仮置きする。
【０００８】
そして、被せ金具２５の被せ部２６を横ビーム２２の端部に被せると共に、被せ金具２５を支柱２１に当接し、横ビーム取付ボルト３１を被せ金具２５のボルト孔３２と、横ビーム２２の端部に形成されたボルト孔３３と、受け金具２３の端部に形成されたボルト孔３４とに挿通し、ナット３５により横ビーム２２を受け金具２３および被せ金具２５を介して支柱２１に取り付ける。この際、被せ金具２５に形成された貫通孔３６は、受け金具取付ボルト２７の頭部より大きく形成されているので、横ビーム２２を受け金具２３に仮置きした後、被せ金具２５を支柱２１に固定することができる。
【０００９】
支柱に横ビームを取り付けるための防護柵用横ビーム取付金具の別の例が特許文献２に開示されている。以下、この防護柵用横ビーム取付金具を従来取付金具Ｂといい、図面を参照しながら説明する。
【００１０】
図７は、従来取付金具Ｂを示す斜視図である。
【００１１】
図７に示すように、従来取付金具Ｂは、支柱３７との当接面３８が凹没して形成され、上面に横ビーム取付ボルトのボルト孔３９が形成されているものからなっている。
【００１２】
従来取付金具Ｂにより横ビーム４０を支柱３７に水平に取り付けるには、図８に示すように、従来取付金具Ｂを支柱３７に固定ボルト４１によって水平に固定する。
【００１３】
従来取付金具Ｂにより横ビーム４０を支柱３７に傾斜して取り付けるには、図９に示すように、従来取付金具Ｂを垂直面内において当接面３８にそって傾斜させ、固定ボルト４１によって固定する。
【００１４】
横ビーム４０を水平面内において角度をつけて取り付けるには、図１０に示すように、従来取付金具Ｂを水平面内において当接面３８に沿って回転させ、固定ボルト４１によって固定する。
【先行技術文献】
【特許文献】
【００１５】
【特許文献１】特開２００８−３１８２４号公報
【特許文献２】実開昭６２−１９６２２３号公報
【発明の概要】
【発明が解決しようとする課題】
【００１６】
上述した従来取付金具Ａによれば、受け金具２３に横ビーム２２を仮置きすることができるので、支柱２１への横ビーム２２の取り付けが容易に行えるが、受け金具取付ボルト２７が不可欠であるので、外観が悪いと共に、材料費がかかる。
【００１７】
上述した従来取付金具Ｂによれば、固定ボルト４１が露出しないので、外観は、優れているが、固定ボルト４１が不可欠であるので、材料費がかかる。しかも、固定ボルト４１の締結作業がやりずらいので、支柱３７への横ビーム４０の取り付けに時間を要する。
【００１８】
従って、この発明の目的は、支柱への横ビームの取り付けが容易に行えると共に外観に優れ、しかも、コスト低減を図ることができる防護柵用横ビーム取付金具を提供することにある。
【課題を解決するための手段】
【００１９】
この発明は、上記目的を達成するためになされたものであって、下記を特徴とする。
【００２０】
請求項１に記載の発明は、支柱に横ビームを取り付けるための防護柵用横ビーム取付金具において、板材をＵ字状に折り曲げることにより、前記支柱に巻き付けられるバンド部と前記横ビームが取り付けられる横ビーム取付部とが形成され、前記バンド部の内面には、前記支柱に形成された開口に係合するフックを先端に有する突起が左右に一対、それぞれ上下外向きに形成され、前記横ビーム取付部には、横ビーム取付ボルトが挿通されるボルト孔が形成され、前記バンド部の内径は、前記支柱の外径より小さく、前記突起は、前記横ビーム取付部の中心線上に一箇所、形成されていることに特徴を有するものである。
【００２１】
請求項２に記載の発明は、請求項１に記載の発明において、前記突起は、前記バンド部を打ち抜き、前記バンド部の一部を前記バンド部の内側に折り曲げることにより形成されていることに特徴を有するものである。
【００２２】
請求項３に記載の発明は、請求項１に記載の発明において、前記突起は、前記バンド部の内面に溶接により取り付けられていることに特徴を有するものである。
【００２３】
請求項４に記載の発明は、請求項１から３の何れか１つに記載の発明において、前記ボルト孔は、前記突起を通る中心線より外側に形成されていることに特徴を有するものである。
【発明の効果】
【００２６】
この発明によれば、バンド部に形成された突起を支柱に形成した開口に係合させることによって、横ビーム取付金具用ボルトを使用することなく、支柱に横ビーム取付金具を取り付けることができるので、支柱への横ビームの取り付けが容易に行えると共に外観に優れ、しかも、コストの低減を図ることができる。
【００２７】
また、この発明によれば、突起を左右一対形成し、突起に形成したフックを上下外向きに形成することによって、支柱から外れにくくなる。
【図面の簡単な説明】
【００２８】
【図１】この発明の防護柵用横ビーム取付金具を示す平面図である。
【図２】この発明の防護柵用横ビーム取付金具を示す正面図である。
【図３】図１のＡ矢視図である。
【図４】この発明の防護柵用横ビーム取付金具により構築された防護柵を示す部分正面図である。
【図５】この発明の防護柵用横ビーム取付金具により横ビームを水平面内において角度をつけて支柱に取り付けた防護柵を示す部分平面図である。
【図６】従来取付金具Ａによる支柱と横ビームとの取り付け部分を示す分解斜視図である。
【図７】従来取付金具Ｂを示す斜視図である。
【図８】従来取付金具Ｂにより横ビームを支柱に水平に取り付けた状態を示す正面図である。
【図９】従来取付金具Ｂにより横ビームを支柱に傾斜して取り付けた状態を示す正面図である。
【図１０】従来取付金具Ｂにより横ビームを水平面内において角度をつけて支柱に取り付けた状態を示す正面図である。
【発明を実施するための形態】
【００２９】
この発明の防護柵用横ビーム取付金具の一実施態様を、図面を参照しながら説明する。
【００３０】
図１は、この発明の防護柵用横ビーム取付金具を示す平面図、図２は、この発明の防護柵用横ビーム取付金具を示す正面図、図３は、図１のＡ矢視図である。
【００３１】
図１から図３に示すように、この発明の防護柵用横ビーム取付金具Ｃ（以下、単に横ビーム取付金具Ｃという。）は、板材としての鋼板をＵ字状に折り曲げることにより、支柱に巻き付けられるバンド部１と横ビームが取り付けられる横ビーム取付部２とが形成されたものからなっている。なお、バンド部１の内径は、取り付ける支柱の外径より若干小さく形成されている。また、横ビーム取付部２は、対向して形成され、横ビーム取付部２間に横ビームの端部が挟み込まれ、後述する横ビーム取付ボルトにより固定される。
【００３２】
バンド部１の内面には、支柱に形成された後述する開口に係合する突起３が形成され、横ビーム取付部２には、横ビーム取付ボルトが挿通されるボルト孔４が形成されている。
【００３３】
ボルト孔４は、後述するように、横ビーム取付金具Ｃを上下反転して使用する場合において、支柱への横ビームの取り付け部分の外観を良くするために、突起３を通る中心線（Ｌ）より外側に形成されている。なお、５は、補強用エンボスである。
【００３４】
突起３は、バンド部１をプレスにより打ち抜き、バンド部１の一部をバンド部１の内側に直角に折り曲げることにより形成され、先端には、フック６が形成されている。突起３は、左右に一対形成され、一対のフック６は、上下外向きに形成されている。なお、突起３は、１つでも良い。また、フック６が形成された突起３は、突起部材を溶接等により後付けによりバンド部１の内面に取り付けても良い。
【００３５】
図３および図４に示すように、横ビーム８が取り付けられる支柱７には、図３に示すように、開口９が形成されている。開口９内に突起３が挿入されることによって、フック６が開口６に係合する。さらに、バンド部１の内径は、支柱７の外径より若干小さく形成されているので、横ビーム取付部２間に横ビーム８を挟んで横ビーム取付ボルト１０を締め付けると、バンド部１は、緩むことなく支柱７を締め付け、支柱７に固定される。この結果、横ビーム取付金具用ボルトを使用することなく、横ビーム取付金具Ｃを支柱７の所定の位置に取り付けることができる。このように、横ビーム取付金具用ボルトを使用する必要がないので、支柱７への横ビーム８の取り付けが容易に行えると共に外観に優れ、しかも、コストの低減を図ることができる。
【００３６】
また、一対のフック６は、上下外向きに形成されているので、突起３が開口９内に挿入されると、横ビーム８の上下左右方向の移動を確実に阻止することができる。
【００３７】
このように構成されている横ビーム取付金具Ｃにより支柱に横ビームを取り付けるには、以下のようにする。
【００３８】
図４に示すように、支柱７の左側に横ビーム８を水平に取り付けるには、支柱７に横ビーム取付金具Ｃのバンド部１を嵌め込み、突起３を支柱７に形成された開口９内に挿入する。
【００３９】
次いで、横ビーム８の端部を横ビーム取付部２間に水平に挟み込み、横ビーム取付ボルト１０を横ビーム取付部２のボルト孔４と横ビーム８の端部に形成されたボルト孔（図示せず）とに挿入し、ナット１１によって固定する（図５参照）。
【００４０】
これによって、支柱７の左側に横ビーム８を水平に取り付けることができる。
【００４１】
次に、図４に示すように、支柱７の右側に横ビーム８を傾斜して取り付けるには、横ビーム取付金具Ｃを上下反転させ、支柱７に形成された開口９に、横ビーム取付金具Ｃのバンド部１を嵌め込む。横ビーム取付金具Ｃを上下反転させて使用することによって、支柱７への横ビーム８の取り付け部分の外観が良くなる。
【００４２】
次いで、横ビーム８の端部を横ビーム取付部２間に傾斜させて挟み込み、横ビーム取付ボルト１０を横ビーム取付部２のボルト孔４と横ビーム８の端部に形成されたボルト孔（図示せず）とに挿入し、ナット１１によって固定する（図５参照）。
【００４３】
これによって、支柱７の右側に横ビーム８を傾斜して取り付けることができる。
【００４４】
次に、横ビーム取付金具Ｃにより横ビーム８を水平面内において角度をつけて支柱７に取り付けるには、横ビーム取付金具Ｃの突起３をハンマー等により平らにした後、支柱７に、横ビーム取付金具Ｃのバンド部１を嵌め込む。
【００４５】
次いで、横ビーム取付金具Ｃを支柱７回りに所定角度だけ回転させ、横ビーム８を横ビーム取付金具Ｃに横ビーム取付ボルト１０により取り付ける。
【００４６】
これによって、図５に示すように、横ビーム８を水平面内において角度をつけて支柱７に取り付けることができる。
【００４７】
以上説明したように、この発明によれば、バンド部１に形成された突起３を支柱７に形成した開口９に係合させることによって、横ビーム取付金具用ボルトを使用することなく、支柱７に横ビーム取付金具Ｃを取り付けることができるので、支柱７への横ビーム８の取り付けが容易に行えると共に外観に優れ、しかも、コスト低減を図ることができる。
【符号の説明】
【００４８】
１：バンド部
２：横ビーム取付部
３：突起
４：ボルト孔
５：エンボス
６：フック
７：支柱
８：横ビーム
９：開口
１０：横ビーム取付ボルト
１１：ナット
２１：支柱
２２：横ビーム
２３：受け金具
２４：受け部
２５：被せ金具
２６：被せ部
２７：受け金具取付ボルト
２８：ボルト孔
２９：ボルト孔
３０：ナット
３１：横ビーム取付ボルト
３２：ボルト孔
３３：ボルト孔
３４：ボルト孔
３５：ナット
３６：貫通孔
３７：支柱
３８：当接面
３９：ボルト孔
４０：横ビーム
４１：固定ボルト
【図１】
0006504688.tif 000002
【図２】
0006504688.tif 000003
【図３】
0006504688.tif 000004
【図４】
0006504688.tif 000005
【図５】
0006504688.tif 000006
【図６】
0006504688.tif 000007
【図７】
0006504688.tif 000008
【図８】
0006504688.tif 000009
【図９】
0006504688.tif 000010
【図１０】
0006504688.tif 000011